(57)【要約】【課題】正面パネルを支持するヒンジ部材の強度を高め、ヒンジ部材からの正面パネルの脱落を未然に防止した空気調和装置の室内ユニットを提供する。【解決手段】室内ユニット２では、取付板９が、本体１０と正面パネル１１とを連結している。また、取付板９は、ヒンジ部９１と接着部９２と空間形成壁部９３とを有している。ヒンジ部９１は、本体１０の上部にヒンジ式で連結される。接着部９２は、正面パネル１１に接着される。空間形成壁部９３は、ヒンジ部９１と接着部９２との境界近傍に設けられており、接着部９２が正面パネル１１に接着されることによって正面パネル１１との間に中空部９４を形成する。【選択図】図５
2011080639.tif 000002
【特許請求の範囲】
【請求項１】
空気調和装置の壁掛け式の室内ユニットであって、
内部にフィルタおよび送風機を収納する本体（１０）と、
前記本体（１０）に取り付けられ前記本体（１０）の正面側を開閉自在に覆う正面パネル（１１）と、
前記本体（１０）と前記正面パネル（１１）とを連結する取付板（９）と、
を備え、
前記取付板（９）は、
前記本体（１０）にヒンジ式で連結されるヒンジ部（９１）と、
前記正面パネル（１１）に接着される接着部（９２）と、
前記接着部（９２）が前記正面パネル（１１）に接着されることによって前記正面パネル（１１）との間に空間を形成する空間形成壁部（９３）と、
を有する、
室内ユニット（２）。
【請求項２】
前記空間形成壁部（９３）が、前記ヒンジ部（９１）と前記接着部（９２）との境界近傍に設けられている、
請求項１に記載の室内ユニット（２）。
【請求項３】
前記正面パネル（１１）は、前記本体（１０）の正面と対峙する領域の端部から前記本体（１０）に向かって突出する立上げ部（１１ａ）を有し、
前記空間は、前記端部と前記立上げ部（１１ａ）と前記空間形成壁部（９３）とによって形成される、
請求項１に記載の室内ユニット（２）。
【請求項４】
前記ヒンジ部（９１）は前記本体（１０）の上部に連結される、
請求項１に記載の室内ユニット（２）。
【発明の詳細な説明】
【技術分野】
【０００１】
本発明は、空気調和装置の室内ユニットに関し、特に、壁掛け式の室内ユニットに関する。
【背景技術】
【０００２】
家庭用ルームエアコン（空気調和装置）では、壁掛け式の室内ユニットが広く普及しており、その室内ユニットの正面には、メンテナンス時に開閉できるようヒンジ式で動作する正面パネルが装着されている。その正面パネルと室内ユニットの本体とを連結するヒンジ部材は、例えば、特許文献１（特開２００３−１４８７６２号公報）に開示されているように、正面パネルの背面に一体成形されている、或は、正面パネルの背面にネジ止めされている。
【０００３】
しかし、ヒンジ部材が一体成形されている正面パネルは、積み重ねができないので保管時および運搬時の占有面積が増大するというデメリットがある。また、ヒンジ部材がネジ止めされている正面パネルは、ネジ止め時の応力によって使用期間中に割れなどが発生する可能性がある。
【０００４】
そこで、上記のような短所を解消するため、特許文献２（特開２００９−７４７７８号公報）に開示されている空気調和装置の室内ユニットでは、ヒンジ付き取付板が採用されている。ヒンジ付き取付板の両端部には挿入突起が設けられ、正面パネルにはその挿入突起が嵌まり込むための固定孔があけられている。固定孔のピッチは挿入突起のピッチよりも少し小さく、組立作業者はヒンジ付き取付板を弾性変形させて挿入突起を固定孔に嵌合させる。これによって、ヒンジ付き取付板が正面パネルに固定されるとともに、ヒンジ付き取付板が正面パネルの取付面に沿って接触する。この方式によれば、上記の短所が解消されるだけでなく、ヒンジ部材と正面パネルとの分解が容易になる。
【発明の概要】
【発明が解決しようとする課題】
【０００５】
しかしながら、特許文献２に開示されている室内ユニットでは、応力によって取付板の挿入突起近傍がひび割れや塑性変形などを起こし易く、正面パネルが取付板から脱落する可能性がある。
【０００６】
本発明の課題は、正面パネルを支持するヒンジ部材の強度を高め、ヒンジ部材からの正面パネルの脱落を未然に防止した空気調和装置の室内ユニットを提供することにある。
【課題を解決するための手段】
【０００７】
第１発明に係る室内ユニットは、空気調和装置の壁掛け式の室内ユニットであって、本体と正面パネルと取付板とを備えている。本体は、内部にフィルタおよび送風機を収納している。正面パネルは、本体に取り付けられその本体の正面側を開閉自在に覆う。取付板は、本体と正面パネルとを連結する。また、取付板は、ヒンジ部と接着部と空間形成壁部とを有している。ヒンジ部は、本体にヒンジ式で連結される。接着部は、正面パネルに接着される。空間形成壁部は、接着部が正面パネルに接着されることによって正面パネルとの間に空間を形成する。
【０００８】
この室内ユニットでは、正面パネルが開かれたとき接着部には最大の応力が作用するが、空間形成壁部が接着部の剛性を高めているので、取付板の接着部が破損して正面パネルを脱落させる事態は防止される。
【０００９】
第２発明に係る室内ユニットは、第１発明に係る室内ユニットであって、空間形成壁部が、ヒンジ部と接着部との境界近傍に設けられている。
【００１０】
この室内ユニットでは、ヒンジ部と接着部との境界には最も応力が作用する。しかし、その境界近傍には、空間形成壁部と正面パネルとで囲まれた空間が存在するので、その境界の剛性は高く耐久性が確保されており、取付板の接着部が破損して正面パネルを脱落させる事態は防止される。
【００１１】
第３発明に係る室内ユニットは、第１発明に係る室内ユニットであって、正面パネルが、本体の正面と対峙する領域の端部からその本体に向かって突出する立上げ部を有している。空間は、その端部と立上げ部と空間形成壁部とによって形成される。
【００１２】
この室内ユニットでは、空間形成壁部が、正面パネルのうち本体の正面と対峙する領域の端部と立上げ部とのコーナーに位置するので、正面パネルが開けられたときでも目立たず、意匠性を損なうことはない。
【００１３】
第４発明に係る室内ユニットは、第１発明に係る室内ユニットであって、ヒンジ部が、本体の上部に連結される。この室内ユニットでは、ヒンジ部が正面パネルを懸架する構成となるので、正面パネルが開かれたとき接着部には最大の応力が作用する。しかし、空間形成壁部が接着部の剛性を高めているので、取付板の接着部が破損して正面パネルを脱落させる事態は防止される。また、外観を損ねるような変形も防止される。
【発明の効果】
【００１４】
第１発明または第２発明に係る室内ユニットでは、空間形成壁部が接着部の剛性を高めているので、取付板の接着部が破損して正面パネルを脱落させる事態は防止される。
【００１５】
第３発明に係る室内ユニットでは、空間形成壁部が、正面パネルのうち本体の正面と対峙する領域の端部と立上げ部とのコーナーに位置するので、正面パネルが開けられたときでも目立たず、意匠性を損なうことはない。
【００１６】
第４発明に係る室内ユニットでは、取付板の接着部が破損して正面パネルを脱落させる事態は防止される。また、外観を損ねるような変形も防止される。
【図面の簡単な説明】
【００１７】
【図１】本発明の一実施形態にかかる空気調和装置の室内ユニットの部分斜視図。
【図２】図１の室内ユニットの断面図。
【図３】正面パネルが開かれた状態の室内ユニットの部分斜視図。
【図４】正面パネルを背面側から視た斜視図。
【図５】取付板のヒンジ部周辺の拡大斜視図。
【図６】正面パネルが閉じているときの室内ユニットの部分側面図。
【図７】取付板と正面パネルとの組立直前の斜視図。
【図８】接着部の接着面側から視た取付板の斜視図。
【図９】図５のＡ−Ａ線における断面図。
【発明を実施するための形態】
【００１８】
以下図面を参照しながら、本発明の実施形態について説明する。なお、以下の実施形態は、本発明の具体例であって、本発明の技術的範囲を限定するものではない。
【００１９】
＜室内ユニット２＞
図１は、本発明の一実施形態にかかる空気調和装置の室内ユニットの部分斜視図である。また、図２は、図１の室内ユニットの断面図である。図１において、室内ユニット２は、壁面に装着される壁掛式の室内ユニットであり、室内の冷暖房等を行う。本体１０は、水平方向に長い直方体形状を成しており、正面には、正面パネル１１が取り付けられている。
【００２０】
図２において、本体１０は、上面にグリル１０ａ有し、背面に背面板１０ｃを有している。本体１０の内部には、フレーム８、室内熱交換器１２、ファン１３、及びフィルタ２１が配置されている。
【００２１】
ファン１３は、グリル１０ａから吸い込んだ空気を、室内熱交換器１２に当てて通過させた後、室内に吹き出す。室内熱交換器１２は、通過するその空気との間で熱交換を行う。室内熱交換器１２及びファン１３は、フレーム８に取り付けられている。
【００２２】
フレーム８の下部には、吹出口１５が設けられており、吹出口１５から吹き出される空気を案内する水平フラップ１７が、吹出口１５に取り付けられている。水平フラップ１７は、空気の吹出方向を変更したり、吹出口１５を開閉したりすることができる。
【００２３】
グリル１０ａと室内熱交換器１２との間にはフィルタ２１が配置されており、室内熱交換器１２に向って流入してくる空気に含まれる塵埃を除去する。また、室内ユニット２は、塵埃が付着したフィルタ２１を自動清掃するフィルタ清掃装置７０を備えている。
【００２４】
本体１０には、フィルタ清掃装置７０を制御する制御部（図示せず）が内蔵されており、制御部は、室内ユニット２の運転時間をカウントしている。前回のフィルタ清掃運転からの累積運転時間が所定時間に到達したとき、制御部は、ブラシ６１を回転させながらローラー４１を回転させ、フィルタ２１を所定回数だけ周回させる。
【００２５】
その間、ブラシ６１の毛材がフィルタ２１の網目に入り込んで、その網目につまった塵埃を掻き出す。その塵埃は、ブラシ６１の下方に位置するダストボックス６０内にたまる。なお、室内ユニット２は、リモコン（図示せず）を使って強制的にフィルタ清掃運転を実行することもできる。
【００２６】
使用者は、正面パネル１１を開けて、塵埃のたまったダストボックス６０を取り出したり、取っ手４８を手前に引くことによってフィルタ２１をフィルタ清掃装置７０から取り出したりすることもできる。
【００２７】
正面パネル１１の下端近傍には、受光部１４が配置されている。受光部１４には、リモコンから発信される光信号を受信する受信器としての赤外線式の受信素子が実装されている。
【００２８】
（正面パネルと取付板）
図３は、正面パネルが開かれた状態の室内ユニットの部分斜視図である。図３において、正面パネル１１の側端部は、取付板９によって支持されている。
【００２９】
取付板９は、ヒンジ部９１と接着部９２とを有している。ヒンジ部９１は、一端が本体１０の上部側面に回動自在に支持される。接着部９２は、正面パネル１１の側端部の背面側に接着される。正面パネル１１の側端部の背面側は曲面であるので、接着部９２はその曲面に沿った形状に成形されている。その結果、接着部９２は、単純な平板に比べて曲げに対する強度が高い。
【００３０】
図４は、正面パネルを背面側から視た斜視図である。図４において、ヒンジ部９１は、接着部９２から隆起する片持ち梁状の部材であり、本体１０の両側面と対峙する。ヒンジ部９１は、その根元から所定寸法離れた位置に円柱の軸９１ａが厚み方向に突出している。軸９１ａは、本体１０の両側面に設けられた軸穴１０１（図６参照）に嵌め込まれる。したがって、取付板９は、ヒンジ部９１の軸９１ａを中心にヒンジ式で回動することができる。
【００３１】
図５は、取付板のヒンジ部周辺の拡大斜視図である。図５において、ヒンジ部９１には、軸９１ａを中心とする円弧状の案内溝９１ｂが設けられている。案内溝９１ｂは、ヒンジ部９１の先端に近づくほど深さが浅くなっている。
【００３２】
図６は、正面パネルが閉じているときの室内ユニットの部分側面図である。図６において、本体１０の両側面には、その案内溝９１ｂに嵌り込む突起１０２が設けられており、突起１０２と案内溝９１ｂの底面と間に摩擦力が作用するように仕組まれている。正面パネル１１が閉から開の方向に回動するとき、その回動量が大きくなるほど案内溝９１ｂの底面と突起１０２との摩擦力は大きくなる。したがって、使用者が正面パネル１１を勢よく開けても、その摩擦力が働くので正面パネル１１の上端がグリル１００ａに衝突するような事態は回避される。
【００３３】
また、その摩擦力が最大となるのは、突起１０２が案内溝９１ｂの最も浅い面に達したときであり、その位置を越えたとき突起１０２は案内溝９１ｂから外れ、今度は突起１０２がヒンジ部９１の先端面と干渉し、正面パネル１１が閉の方向に回動することを阻止する。この状態が、正面パネル１１が開位置で停止するメンテナンス状態である。
【００３４】
使用者は、正面パネル１１をメンテナンス状態にしてダストボックス６０（図２参照）を本体１０から取り外すなどの作業を実施する。作業者は、正面パネル１１を閉めるとき、正面パネル１１を強めに押し下げることによって、ヒンジ部９１の先端面に当たっていた突起１０２が再び案内溝９１ｂに嵌り込むので、正面パネル１１が閉じる方向に動くようになる。
【００３５】
図５において、取付板９は、空間形成壁部９３をさらに有している。空間形成壁部９３は、接着部９２の端部に隣接し、接着部９２が正面パネル１１に接着されたとき、正面パネル１１との間に空間を形成する。空間形成壁部９３は、第１立ち壁９３ａ、第２立ち壁９３ｂ、第３立ち壁９３ｃ、及び曲り壁９３ｄを含んでいる。第１立ち壁９３ａは、接着部９２のうち正面パネル１１の立上げ部１１ａに近い端部から、正面パネル１１の立上げ部１１ａと対峙するように隆起している。そして、第１立ち壁９３ａを両端から挟むように第２立ち壁９３ｂ及び第３立ち壁９３ｃが隆起している。曲り壁９３ｄは、第１立ち壁９３ａの端から接着部９２の曲面とほぼ平行に延び、立上げ部１１ａに接触している。
【００３６】
図７は、取付板と正面パネルとの組立直前の斜視図である。また、図８は、接着部の接着面側から視た取付板の斜視図である。図７及び図８において、曲り壁９３ｄの端面には、３つの爪９３１，９３２，９３３が設けられている。また、正面パネル１１の立上げ部１１ａには、３つの爪９３１，９３２，９３３それぞれが嵌まり込む位置決め孔１１１，１１２，１１３が設けられている。
【００３７】
３つの爪９３１，９３２，９３３それぞれが位置決め孔１１１，１１２，１１３に嵌まり込んだ状態で、接着部９２が正面パネル１１に接着されたとき、正面パネル１１の端部、立上げ部１１ａ、第１立ち壁９３ａ、第２立ち壁９３ｂ、第３立ち壁９３ｃ、及び曲り壁９３ｄによって囲まれた中空部９４（図９参照）が形成される。
【００３８】
図９は、図５のＡ−Ａ線における断面図である。図９において、正面パネル１１は、比較的大型の構造体であり、高い成形性が求められるので、ＡＢＳ樹脂が材料として採用さる。一方、取付板９は、本体１０と正面パネル１１とを連結し、且つ正面パネル１１が開かれるときには本体１０の側面との間に摩擦が生じるので、その材料として強度と摺動性に優れたポリアセタール樹脂が採用される。結果として、正面パネル１１は取付板９が接着されることによって補強されている。
【００３９】
また、取付板９と正面パネル１１とは両面テープ９６によって接着されているので、取付板９と正面パネル１１との間にガタツキがなく、室内ユニット２が稼動しているときに正面パネル１１が微振動しても、取付板９と正面パネル１１との間からビビリ音が発生することはない。
【００４０】
（両面テープ９６及び中空部９４の効用）
正面パネル１１は長方形の板状であるため捩れ易く、特に、立上げ部１１ａには内側に倒される向きの変形、或いは、外側に倒される向きの変形が生じる。例えば、使用者が正面パネル１１の一端だけを掴んで回動させたとき、その掴まれていない端部の立上げ部１１ａは外側に倒される向きに変形し、爪９３１，９３２，９３３は位置決め孔１１１，１１２，１１３から外れ易くなる。特許文献２に開示されている取付板は、爪（挿入突起）および孔（固定孔）のすきま嵌めによって正面パネルを保持しているだけなので、爪が孔から外れたとき正面パネルが取付板から脱落する可能性がある。さらに、空気調和装置が運転している間、正面パネルが微振動し爪（挿入突起）と孔（固定孔）との間でビビリ音が発生する可能性もある。
【００４１】
しかし、本実施形態では、万が一、爪９３１，９３２，９３３が位置決め孔１１１，１１２，１１３から外れても、接着部９２が両面テープによって正面パネル１１と密着しているので、正面パネル１１が取付板９から脱落する事態は回避される。さらに、正面パネル１１と取付板９とが接着されているので、互いに衝突する隙間がなく、ビビリ音が発生し難い。
【００４２】
また、使用者が正面パネル１１の一端だけを掴んで回動させたとき、その掴まれた端部の立上げ部１１ａは正面パネル１１の内側に倒される向きに変形する。特許文献２に開示されている取付板は、立ち壁を正面パネルの立上げ部に接触させているだけであるので、正面パネルの立上げ部が内側に倒れるように変形したとき、取付板の立ち壁も内側に倒れるように変形する。したがって、過度の外力が作用したときは、正面パネルの立上げ部は塑性変形する可能性がある。
【００４３】
しかし、本実施形態では、正面パネル１１の端部、立上げ部１１ａ、第１立ち壁９３ａ、第２立ち壁９３ｂ、第３立ち壁９３ｃ、及び曲り壁９３ｄは、断面形状が平行四辺形の中空部９４を形成しているので、その剛性は単純な板よりも高く、過度の外力が作用したときでも、正面パネル１１の立上げ部１１ａは塑性変形することは防止される。
【００４４】
また、正面パネル１１が開閉されるとき、取付板９と正面パネル１１との接着面には互いの伸縮差による応力が発生するが、空間形成壁部９３が正面パネル１１の立上げ部１１ａの変位を抑制しているので、接着面の伸縮が抑制される。その結果、接着面の剥れが防止される。
【００４５】
＜特徴＞
（１）
室内ユニット２では、取付板９が、本体１０と正面パネル１１とを連結している。また、取付板９は、ヒンジ部９１と接着部９２と空間形成壁部９３とを有している。ヒンジ部９１は、本体１０の上部にヒンジ式で連結される。接着部９２は、正面パネル１１に接着される。空間形成壁部９３は、ヒンジ部９１と接着部９２との境界近傍に設けられており、接着部９２が正面パネル１１に接着されることによって正面パネル１１との間に中空部９４を形成する。正面パネル１１が開かれたとき、ヒンジ部９１と接着部９２との境界には最も応力が作用する。しかし、その境界近傍には、空間形成壁部９３と正面パネル１１とで囲まれた中空部９４が存在するので、その境界の剛性は高く耐久性が確保されており、取付板９の接着部９２が破損して正面パネル１１を脱落させる事態は防止される。また、正面パネル１１と取付板９とは接着されているので、互いに衝突する隙間がなく、室内ユニット２が稼働中であってもビビリ音が発生し難い。
【００４６】
（２）
室内ユニット２では、正面パネル１１が、本体１０の正面と対峙する領域の端部からその本体１０に向かって突出する立上げ部１１ａを有している。中空部９４は、その端部と立上げ部１１ａと空間形成壁部９３とによって形成される。空間形成壁部９３は、正面パネル１１の端部と立上げ部１１ａとのコーナーに位置するので、正面パネル１１が開けられたときでも目立たず、意匠性を損なうことはない。
【００４７】
（３）
正面パネル１１の端部、立上げ部１１ａ及び空間形成壁部９３は、断面形状が平行四辺形の中空部９４を形成しているので、その剛性は単純な板よりも高く、過度の外力が作用したときでも、正面パネル１１の立上げ部１１ａは塑性変形することは防止される。
【産業上の利用可能性】
【００４８】
以上のように、本発明によれば、室内ユニットの正面パネルのように、本体に対してヒンジ式で動く幅広の部材を備えた機器に有用である。
【符号の説明】
【００４９】
２  室内ユニット
９  取付板
１０  本体
１１  正面パネル
１１ａ  立上げ部
９１  ヒンジ部
９２  接着部
９３  空間形成壁部
【先行技術文献】
【特許文献】
【００５０】
【特許文献１】特開２００３−１４８７６２号公報
【特許文献２】特開２００９−７４７７８号公報
【図１】
2011080639.tif 000003
【図２】
2011080639.tif 000004
【図３】
2011080639.tif 000005
【図４】
2011080639.tif 000006
【図５】
2011080639.tif 000007
【図６】
2011080639.tif 000008
【図７】
2011080639.tif 000009
【図８】
2011080639.tif 000010
【図９】
2011080639.tif 000011